(57)【要約】【課題】油脂中のジアルキルケトンを正確に定量する手段を提供する。【解決手段】油脂の固相抽出物をガスクロマトグラフあるいは液体クロマトグラフに供する。【選択図】なし【特許請求の範囲】
【請求項１】
油脂を固相抽出する工程、及び、
固相抽出物をガスクロマトグラフあるいは液体クロマトグラフで定量する工程、
を含むことを特徴とする、油脂中のジアルキルケトンの定量方法。
【請求項２】
固相抽出工程の前に、油脂をけん化し、固相抽出以外の抽出操作に供する工程を行う、請求項１に記載の定量方法。
【請求項３】
固相抽出工程に供される油脂が、アルカリ触媒を用いた油脂のエステル交換反応生成物である、請求項１又は２に記載の定量方法。
【請求項４】
アルカリ触媒を用いたエステル交換反応により油脂を製造する方法であって、
前記エステル交換反応後の油脂中のジアルキルケトンを、請求項１又は２に記載の方法に従い定量する工程を含み、
定量する工程後の精製条件及び／又はブレンド条件を、定量されたジアルキルケトン量に基づいて決定する、ことを特徴とする製造方法。
【発明の詳細な説明】
【技術分野】
【０００１】
本発明は、油脂中のジアルキルケトンの定量方法に関する。
【背景技術】
【０００２】
油脂（特に食用油）の改質方法としてエステル交換方法がある。触媒としてアルカリを用いるケミカルエステル交換方法では、改質された油脂の他、ジアルキルケトン（以下、「ＤＡＫｓ」ともいう）が副産物として生成する。ＤＡＫｓ量が多い場合、分子蒸留等により除去される。
また、ＤＡＫｓが低減された油脂の製造方法が知られている（特許文献１）。
【先行技術文献】
【特許文献】
【０００３】
【特許文献１】特開２０１２−２２４７９７号公報
【発明の概要】
【発明が解決しようとする課題】
【０００４】
エステル交換反応条件の決定、エステル交換反応後のＤＡＫｓ除去の要否の判断や、ＤＡＫｓの新たな除去方法の開発にあたっては、油脂中のＤＡＫｓを正確に定量する必要がある。
しかし、エステル交換反応生成物をガスクロマトグラフ（ＧＣ）へそのまま適用して定量分析を試みると、前記反応生成物中に含まれる植物ステロール類が、ＧＣにおいてＤＡＫｓと同様の挙動を示し、ＤＡＫｓの正確な定量を妨げることを本発明者らは初めて見いだした。
【課題を解決するための手段】
【０００５】
本発明者らは、上記課題を解決するために鋭意検討した結果、油脂の固相抽出物をＧＣに付するとＤＡＫｓを正確に同定し、かつ、定量できることを見いだし、本発明を完成させるに至った。すなわち、本発明は下記に関するものである。
〔１〕油脂を固相抽出する工程、及び、
固相抽出物をガスクロマトグラフあるいは液体クロマトグラフで定量する工程、
を含むことを特徴とする、油脂中のジアルキルケトンの定量方法。
〔２〕固相抽出工程の前に、油脂をけん化し、固相抽出以外の抽出操作に供する工程を行う、前記〔１〕に記載の定量方法。
〔３〕前記固相抽出工程に供される油脂が、アルカリ触媒を用いた油脂のエステル交換反応生成物である、前記〔１〕又は〔２〕に記載の定量方法。
〔４〕アルカリ触媒を用いたエステル交換反応により油脂を製造する方法であって、
前記エステル交換反応後の油脂中のジアルキルケトンを、前記〔１〕又は〔２〕に記載の方法に従い定量する工程を含み、
定量する工程後の精製条件及び／又はブレンド条件を、定量されたジアルキルケトン量に基づいて決定する、ことを特徴とする製造方法。
【発明の効果】
【０００６】
後述の実施例で示されるように、本発明の方法によると、油脂（特に、油脂のエステル交換反応生成物）中のＤＡＫｓを正確に定量することができる。
【発明を実施するための形態】
【０００７】
「油脂」は特に限定されないが、例えば植物性油脂や動物性油脂が挙げられるが、植物性油脂が好ましい。
植物性油脂としては、キャノーラ油や、パーム油等やこれらのエステル交換油が挙げられ、エステル交換油が好ましい。
また、油脂としては食用油脂が好ましい。
【０００８】
本発明は「アルカリ触媒を用いた油脂のエステル交換反応生成物」である油脂に対して好適に用いることができる。
「アルカリ触媒を用いた油脂のエステル交換反応」は、油脂製造分野で用いられているものを特に制限なく用いることができる。
アルカリ触媒としては、例えば水酸化ナトリウム、水酸化カリウム、炭酸ナトリウムや炭酸カリウム等が挙げられる。
エステル交換反応の条件は、油脂のエステル交換反応で一般的に用いられているものを特に制限なく採用することができる。
【０００９】
＜油脂中のジアルキルケトンの定量方法＞
本発明の油脂中のジアルキルケトンの定量方法は、油脂を固相抽出する工程と、固相抽出物をガスクロマトグラフあるいは液体クロマトグラフで定量する工程とを含む。
「固相抽出」としては、油脂へ適用されているものを特に制限なく用いることができる。「固相抽出」の目的は、後続のガスクロマトグラフあるいは液体クロマトグラフでの定量において、正確な定量を妨害する不純物（植物ステロール類等）を分離除去することである。そのため、植物ステロール類等を効率的に分離除去できる固相抽出法が本発明で用いられる。
ここで「固相抽出」はSPEとも呼ばれ、試料中に含まれる目的物（溶質）と、担体（固定相）との親和性等を利用して溶質を担体に吸着させたり、そのまま溶出させたりして、溶質を分離する抽出方法をいう。本発明では、油脂中に含まれるＤＡＫｓを担体に吸着させ、その後吸着したＤＡＫｓを溶媒で抽出することで、不純物（植物ステロール類等）からの分離を達成している。
固相抽出で用いる「担体」としては、アミノプロピル基、及び、シリカゲル又はグラファイトカーボンが固定相として挙げられる。
固相抽出で用いる「溶媒」としては、ヘキサンやクロロホルム等が挙げられ、ヘキサンとクロロホルムが好ましい。溶媒は、１種類を単独で用いてもよく、２種以上を適宜組み合わせてもよい。
固相抽出条件は、油脂の抽出に用いられているものを特に制限なく採用することができる。
【００１０】
固相抽出に先立ち、油脂をけん化し、更にけん化物を固相抽出以外の抽出工程（例えば、液相抽出）に付すると、ＤＡＫｓの定量性をより高めることができるので好ましい。
けん化条件は、油脂のけん化に用いられているものを特に制限なく採用することができる。けん化には、例えば、アルカリ性の水溶液、あるいはアルカリ性のアルコール溶液を用いることができ、例えば、水酸化ナトリウム、水酸化カリウム等のアルコール溶液を用いることが好ましい。アルコールとしては、メタノール、エタノール、プロパノールや、ブタノール等を用いることができる。アルコール溶液は水を含んでいてもよい。けん化温度は、３０〜１２０℃が好ましく、７０〜１００℃がより好ましい。
【００１１】
油脂のけん化で生成した水溶性成分を除くために、固相抽出以外の抽出工程（例えば、液相抽出）を行うことが好ましい。例えば、けん化物を水に溶解しにくい有機溶媒で抽出することができる。有機溶媒としては、エーテル、ヘキサン、ヘプタン、オクタン、石油エーテル、ベンゼン、トルエン、キシレンや、ジクロロメタン等を用いることができる。当該抽出後に実施する濃縮操作（溶媒除去）の効率に鑑みると、沸点が１００℃以下の有機溶媒が好ましい。抽出操作後、有機相のアルカリを除去するために、洗浄操作（例えば水洗）を行うことが好ましい。
ケン化、液相抽出及び洗浄を行った後に、ＤＡＫｓの濃度を高めるために濃縮操作を実施することが好ましい。濃縮方法としては、特に限定するものではないが、無水硫酸ナトリウム、塩化カルシウム、モレキュラーシーブ等の乾燥剤で乾燥させた後、有機溶媒を蒸留することが挙げられる。
【００１２】
「ガスクロマトグラフ（ＧＣ）」は油脂へ適用できるものであればよく、ＦＩＤ検出器または質量分析装置を有するキャピラリーＧＣを特に制限なく用いることができる。測定用キャピラリーカラムの充填剤の種類は特に制限されないが、ジメチルポリシロキサンやジフェニルジメチルポリシロキサンなどが好ましい。
ＧＣ条件は、油脂の分析に用いられているものを特に制限なく採用することができる。
「液体クロマトグラフ（ＬＣ）」は油脂へ適用できるものであればよく、蒸発光散乱検出器または示差屈折検出器あるいは質量分析装置等を有するものを特に制限なく用いることができる。測定用カラムの固定相の種類は特に制限されないが、シリカゲルなどの順相カラムやC18などの逆相カラムが好ましい。
ＬＣ条件は、油脂の分析に用いられているものを特に制限なく採用することができる。
【００１３】
本発明では、油脂中に含まれる多種のジアルキルケトン（Dialkylketones: ＤＡＫｓ）を定量することができる。
ＤＡＫｓとしては、一般式（１）：Ｒ1Ｃ（Ｏ）Ｒ2（式中、Ｒ1及びＲ2は独立してＣ1〜Ｃ24のアルキル基である）で表される化合物が挙げられる。具体例としては、9-ヘプタデカノン（一般式（１）中、Ｒ1及びＲ2がＣ8のアルキル基である化合物）、10-ノナデカノン、11-ヘンエイコサノン、14-ヘプタコサノン、16-ヘントリアコンタノン、18-ペンタトリアコンタノンや、１２−トリコサノン等が挙げられるが、他のＤＡＫｓ（例えば、９，２６−ペンタトリアコンタジエン−１８−オン）も定量可能である。
【００１４】
＜エステル交換反応により油脂を製造する方法＞
エステル交換反応生成物中のＤＡＫｓを前記＜油脂中のジアルキルケトンの定量方法＞に従い定量し、定量結果に基づいて、前記生成物からのＤＡＫｓ除去の要否を決定することができる。
したがって、本発明には、エステル交換反応により油脂を製造する方法であって、エステル交換反応後の油脂中のジアルキルケトンを、前記＜油脂中のジアルキルケトンの定量方法＞に記載の方法に従い定量する工程を含み、定量する工程後の精製条件及び／又はブレンド条件を、定量されたジアルキルケトン量に基づいて決定することを特徴とする方法も含まれる。
本発明において、定量する工程は、エステル交換後であればよく、精製工程及び／ブレンド工程の前、あるいは精製工程及び／ブレンド工程の途中でもよい。
【００１５】
エステル交換油の精製工程は、アルカリ触媒の酸性物質との中和あるいは水洗、脱酸、脱色、脱臭、分別等の一つ以上が行われるが、いずれの前後、あるいは工程中でもよい。
例えば、エステル交換油中のＤＡＫｓ量が多いことが定量工程で判明した場合、酸性の液（例えば、クエン酸）で洗浄する工程を追加で行うことで、ＤＡＫｓ量を低減することができる。酸性の液で洗浄する場合、その後、水洗、脱臭することが好ましい。また、短工程蒸留等の高真空化での蒸留工程を追加で行うことでも、ＤＡＫｓを除去することができる。
エステル交換油中のＤＡＫｓ量が少ない（あるいは存在しない）ことが定量工程で判明した場合、これらの精製工程を行わないことを選択することができる。
【００１６】
複数のエステル交換油をブレンドする場合、ＤＡＫｓ量が多いロットとＤＡＫｓ量が少ないロットを組わせて、ＤＡＫｓ量が一定の規格内に抑えられたブレンド油を製造することができる。したがって、ブレンド油製造におけるブレンド条件の決定にも本発明のＤＡＫｓの定量方法を利用できる。特に、複数の製品タンクのそれぞれにＤＡＫｓ量が異なるエステル交換油が貯蔵されている場合、新たに製造したエステル交換油のＤＡＫｓ量を精製前あるいは精製途中で定量し、精製後のエステル交換油を適切な製品タンクに導入すると、各製品タンク中のエステル交換油のＤＡＫｓ量を調節（例えば、低量に抑える）できるので好ましい。
【実施例】
【００１７】
以下、実施例により本発明を更に詳細に説明するが、本発明はこれに限定されるものではない。
【００１８】
[実施例１]：油脂中のＤＡＫｓの定量分析（１）
（サンプル調製）
所定量のＤＡＫｓを含むように予め調製した油脂サンプルを用いて、本発明の定量方法を評価した。具体的には、ＤＡＫｓを含まないキャノーラ油（日清オイリオグループ株式会社製）へ各種ＤＡＫｓ標準試薬を表１の配合量となるように添加して調製したサンプル１〜５を使用した。
【００１９】
【表１】
2019045466.tif 000002
【００２０】
固相抽出に供する前に、各サンプルを、下記のけん化操作及び抽出操作（洗浄操作及び脱水・乾固操作）に付して抽出物を作成した。
（けん化操作）
サンプル１ｇと２Ｎ  水酸化カリウム／エタノール  １０ｍＬとをナス型フラスコに加え、９０℃で３０分還流させて、けん化分解を行った。その後、室温（２０℃）まで降温し、２０ｍＬの水を加えて混合し、分液ロートへ移した。次いで、石油エーテル３０ｍＬを加え、振とうして、上層（石油エーテル層）を回収（１回目）した。残りの下層に石油エーテル３０ｍＬを加え、振とうし、上層（石油エーテル層）を回収（２回目）して、１回目に回収した上層と合わせた。さらに、残りの下層に石油エーテル３０ｍＬを加え、振とうし、上層（石油エーテル層）を回収（３回目）し、これを１回目及び２回目に回収した上層（石油エーテル層）と合わせた。
【００２１】
（洗浄操作）
前記けん化操作で得られた上層（石油エーテル層）に水／エタノール（１：１  ｖ／ｖ）４０ｍＬを加え、振とうして、上層（石油エーテル層）を回収した。前記上層に水／エタノール（１：１  ｖ／ｖ）４０ｍＬを加え、振とうして、上層（石油エーテル層）を回収した。さらに、前記上層に水／エタノール（１：１  ｖ／ｖ）４０ｍＬを加え、振とうして、上層（石油エーテル層）を回収した。
【００２２】
（脱水・乾固操作）
前記洗浄操作で回収した上層（石油エーテル層）に無水硫酸ナトリウム１０ｇを加えて振り混ぜ、脱水した。脱水した上層（石油エーテル層）を濾紙でろ過して無水硫酸ナトリウムを除去し、更にロータリーエバポレーターで溶媒を除去して抽出物を得た。
【００２３】
（固相抽出操作）
前記操作で得られた抽出物を下記の固相抽出（ＳＰＥ）に供して、不純物（植物ステロール類等）が除去された、ジアルキルケトン含有抽出物（画分）を得た。
市販の固相抽出チューブ（スペルクリンＥＮＶＩ−Ｃａｒｂ／ＮＨ2（シグマアルドリッチ）（アミノプロピル基及びグラファイトカーボンの固定相）に、ヘキサン／クロロホルム（９：１  ｖ／ｖ）０．５ｍＬを加えた後、前記抽出物を負荷した。次いで、ヘキサン／クロロホルム（９：１  ｖ／ｖ）１５ｍＬを固相抽出チューブに加え、溶出物を回収し、ロータリーエバポレーターで溶剤を除去して画分１を得た。
次にヘキサン／クロロホルム（７：３  ｖ／ｖ）２０ｍＬを固相抽出チューブに加え、溶出物を回収し、ロータリーエバポレーターで溶剤を除去して画分２を得た。
次にクロロホルム１０ｍＬを固相抽出チューブに加え、溶出物を回収し、ロータリーエバポレーターで溶剤を除去して画分３を得た。
次にクロロホルム５０ｍＬを固相抽出チューブに加え、溶出物を回収し、ロータリーエバポレーターで溶剤を除去して画分４を得た。
【００２４】
（ガスクロマトグラフ操作）
各画分について、クロロホルム０．５ｍＬを加えて溶解したものを、下記条件下でのガスクロマトグラフへ供した。
なお、前記ジアルキルケトン標準物質のクロロホルム溶液（配合量：５０ｐｐｍ（質量基準））を標準サンプルとした。
【００２５】
ガスクロマトグラフ条件
ＦＩＤ検出器を有するキャピラリーＧＣ装置：Ａｇｉｌｅｎｔ  ＧＣ  ７８９０Ｂ
カラム：Ａｇｉｌｅｎｔ製ＤＢ１−ＨＴ  長さ１５ｍ×内径０．３２ｍｍ×膜厚０．１μｍ（充填剤：１００％ジメチルポリシロキサン）
キャリアガス：ヘリウム
注入口温度：３３０℃
検出器温度：３４０℃
オーブン温度：１５０℃〜３４０℃（昇温温度  ２０℃／分）
注入量：１μＬ
スプリット比：５０：１
流量：２ｍＬ／ｍｉｎ
標準物質：ジアルキルケトン試薬
【００２６】
各サンプルのピークと標準サンプルのピークとを比較することで、ＤＡＫｓ量を算出した。結果を表２に示す。表２の回収率は、定量方法に供する前のサンプル中のＤＡＫｓ量（質量基準）を１００％とした場合の値である。
【００２７】
【表２】
2019045466.tif 000003
【００２８】
前記の定量方法では、定量前のサンプル中のＤＡＫｓ量に対して７７〜９８％という高い回収率でＤＡＫｓが検出された。
この結果は、本発明の方法によって油脂中のＤＡＫｓを正確に定量できることを示すものである。
【００２９】
[実施例２]：油脂中のＤＡＫｓの定量分析（２）
（サンプル調製）
所定量のＤＡＫｓを含むように予め調製した油脂サンプルを用いて、本発明の定量方法を評価した。具体的には、ＤＡＫｓを含まないパーム油（日清オイリオグループ株式会社製）へ各種ＤＡＫｓ標準試薬を表３の配合量となるように添加して調製したサンプル６〜１０を使用した。
【００３０】
【表３】
2019045466.tif 000004
【００３１】
固相抽出に供する前に、各サンプルを、前述の実施例１と同様のけん化操作及び抽出操作（洗浄操作及び脱水・乾固操作）に付して抽出物を作成した。
固相抽出操作及びガスクロマトグラフ操作も前述の実施例１と同様であった。
各サンプルのピークと標準サンプルのピークとを比較することで、ＤＡＫｓ量を算出した。結果を表４に示す。表４の回収率は、定量方法に供する前のサンプル中のＤＡＫｓ量（質量基準）を１００％とした場合の値である。
【００３２】
【表４】
2019045466.tif 000005
【００３３】
前記の定量方法では、定量前のサンプル中のＤＡＫｓ量に対して８２〜９６％という高い回収率でＤＡＫｓが検出された。
この結果は本発明の方法によって油脂中のＤＡＫｓを正確に定量できることを示すものである。
【産業上の利用可能性】
【００３４】
本発明は、油脂分野で利用することができる。